(57)【要約】【課題】下方から上昇する油煙や水蒸気を含む気流をフードと整流板間の吸気口から吸込む構成は、整流板の表面が汚れ易く、特に奥側の壁近傍に設けられた加熱調理器の排気口から上昇した油煙や蒸気は、整流板の後方や後方の壁面に付着し結露し易いという課題があった。【解決手段】排気送風機を収めたユニット部の下部に設けられた固定フードと、該固定フードの下方に設けられ該固定フードの下方で支持された位置から前方へ移動可能とした整流板と、を設けたことで、奥側の壁近傍に設けられた加熱調理器の排気口から上昇した油煙や蒸気により整流板が汚れにくくなり、清掃性も向上した。【選択図】図１
2007192484.tif 000002
【特許請求の範囲】
【請求項１】
排気のためのファン有するユニット部の下部に設けられた固定フードと、この固定フードの下部に設けられ前記固定フードの下方に支持された位置から移動可能な整流板と、を設けたレンジフード。
【請求項２】
排気のためのファン有するユニット部の下部に設けられた固定フードと、この固定フードから前方に移動可能な可動フードと、この可動フードの下方に支持される前側整流板と、前記固定フードの下方に支持された位置から前記前側整流板の方向に移動可能な後側整流板と、を設けたレンジフード。
【請求項３】
請求項１記載のレンジフードにおいて、前記整流板の支持構造を着脱自在な構造としたレンジフード。
【請求項４】
請求項１記載のレンジフードにおいて、前記整流板が前記固定フードの下方に支持された位置から前方または斜め下方に移動可能としたレンジフード。
【請求項５】
請求項２記載のレンジフードにおいて、前記後側整流板の支持構造を着脱自在な構造としたレンジフード。
【請求項６】
請求項２記載のレンジフードにおいて、前記後側整流板が前記固定フードの下方に支持された位置から前方または斜め下方に移動可能としたレンジフード。
【請求項７】
請求項２記載のレンジフードにおいて、前記前側整流板は可動フードの移動方向の長さに対し後方に半分以下の長さを有するレンジフード。
【請求項８】
排気送風機を収めたユニット部の下部に設けられた固定フードと、該固定フードの下方に設けられ該固定フードの下方で支持された位置から前方へ移動可能とした整流板と、を設けたレンジフード。
【発明の詳細な説明】
【技術分野】
【０００１】
本発明は、加熱調理器からの油煙や水蒸気を屋外に排出するレンジフードに関する。
【背景技術】
【０００２】
従来、この種のレンジフードにおいて、固定フードの下面部に整流板を備えて、整流板と固定フードとの間に設けられた吸込口から調理時に発生した油煙や水蒸気を捕集するものが知られている（例えば、特許文献１）。
【０００３】
【特許文献１】特開２００１−４１８１号公報
【発明の開示】
【発明が解決しようとする課題】
【０００４】
特許文献１のような従来のレンジフードでは、下方から上昇する油煙や水蒸気を含む気流のほとんどが整流板に衝突した後、固定フードと整流板間に設けられた吸気口から吸込んで外部に排出する構造を備えている。この構造は、本体の側方へ気流が逃げることもあり、油煙や水蒸気の捕集効率を高めることが要求されている。
【０００５】
吸気流路に吸気された油煙は、特に室温が低いときに見られる現象だが、整流板の表面において結露し易い。そのため、整流板にフッ素加工などの表面処理を施し、整流板を取り外し易くして、結露を防止すると共に普段の手入れ時に整流板表面を拭き取り易くして清掃性の向上に努めている。
【０００６】
しかしながら、レンジフードは高所に取り付けられていて、整流板自体も大きいものであるので、使用者が手入れの際に拭き取り難さや取り外し難いといった課題があった。
【０００７】
また、ＩＨクッキングヒーターやガスコンロのグリルの排気口が壁側に設けられていて、このグリルで魚などを焼いた場合には、油煙や蒸気はレンジフードの後方の整流板に衝突し、本体の後方へ逃げることとなるため、後方の整流板や後方壁面に結露が発生し易く、結露水が多くなると料理中の鍋などに滴下してしまい料理などを汚すといったことや、後方壁面に付着した結露水がキッチン台面に垂れてしまい結露水を拭き取る清掃の手間が掛かるといった課題があった。
【０００８】
本発明は、上記の課題を解決することを目的とするものである。
【課題を解決するための手段】
【０００９】
上記課題を解決するために本発明のレンジフードは、排気のためのファン有するユニット部の下部に設けられた固定フードと、この固定フードの下部に設けられ前記固定フードの下方に支持された位置から移動可能な整流板と、を設けたものである。
【００１０】
このような構成を備えることで、ユニット部の吸気開口部介してユニット部内に通じる空間が広がり、整流板に直接到達する油煙や水蒸気が減少し汚れづらくなる。また、清掃に際しては整流板が前方の使用者に近づくので清掃性が向上する。
【００１１】
また、上記課題を解決するために本発明のレンジフードは、排気のためのファン有するユニット部の下部に設けられた固定フードと、この固定フードから前方に移動可能な可動フードと、この可動フードの下方に支持される前側整流板と、前記固定フードの下方に支持された位置から前記前側整流板の方向に移動可能な後側整流板とを設けたものである。
【００１２】
上記構成によれば、後側整流板を前記固定フードの下方に支持された位置から前方に移動できるので、後側整流板に直接到達する油煙や水蒸気が減少し汚れづらくなる。また、清掃に際しては整流板が前方の使用者に近づくので清掃性が向上する。
【００１３】
上記の構成に加えて本発明のレンジフードは、前側整流板と後側整流板との間に吸気流路となる一定間隔吸気口を設けてもよい。
【発明の効果】
【００１４】
本発明によれば、下方から上昇する油煙や水蒸気などが整流板に衝突する量が減り、フードと整流板間に設けられた吸気口より吸い込む量が増え捕集効率が良くなる。また、整流板表面も結露しにくくなる。
【発明を実施するための最良の形態】
【００１５】
以下、本発明の一実施の形態を図面に沿って説明する。図１〜図４において、本発明の一実施形態であるレンジフードを説明する。
【００１６】
レンジフードの室内空気を吸気して戸外に排出する機構を備えたユニット部１の下部に固定フード２が設けられている。
【００１７】
可動フード３が固定フード２に対して収納及び引き出し可能に支持されている。ユニット部１と固定フード２及び可動フード３とは、各フード内を通過して吸気された油煙や水蒸気がユニット部１に導入される流路を有する。
【００１８】
ユニット部１内には吸気流路４と排気流路５がある。吸気流路４は、固定フード２と可動フード３と接続し、ユニット部１の下部に設けられた吸気開口部７を経由する。排気流路５は、ユニット部１の上面に設けられた排気口６を通じて室外に到る。
【００１９】
排気用送風機８は、ユニット部１に取り付けられたスクロール９内に配置されたシロッコファン１０が装着されている。ユニット部１の後方には送風機取り付け板１１が設けられていて、排気送風機８を装着する。
【００２０】
スクロール９の前方の排気流路５内にフィルター１２が設けられている。そのフィルター１２はスクロール９の外部に設けられたＬ型状支持部１３により支えられている。また、フィルター１２は、Ｌ型状支持部１３を支点とし、ユニット部１の前方に弾性材を用いたフィルター支持金具１４によって所定角度の傾斜をもって配設されている。
【００２１】
フィルター１２にて捕集された油や、シロッコファン１０に付着した油が遠心力に吹き飛ばされスクロール９内に溜まった油を受けるオイルポケット１５が、固定フード２の後方に着脱自在に配設されている。
【００２２】
ユニット部１の上面の排気口６には、戸外に通じるダクト（図示せず）と接続されるダクト継手１６が設けられている。
【００２３】
ユニット部１の下部に設けた固定フード２の後方には、透光性材料からなる例えばガラスで形成されたカバー１７を介して、照明機構１８が複数設けられている。
【００２４】
可動フード３の下方に設けられた前側整流板１９と固定フード２の下方に設けられた後方整流板２０が、支持される高さが異なる段違いで２枚（または複数枚）設けられている。
【００２５】
可動フード３及び固定フード２と、前側整流板１９及び後方整流板２０との間における各整流板の周囲全周を吸込口２１とし、捕集効率を高めたものである。
【００２６】
可動フード３を固定フード２に収納された状態から引き出させると、前側整流板１９と後方整流板２０とが交わる部分に、吸気流路４の一部となる一定間隔吸込口２２を形成され、下方から上昇する油煙や水蒸気を含む空気のほとんどが前側整流板１９と後方整流板２０に衝突せずに、一定間隔吸込口２２より吸い込むことで捕集効率が良くなり、また、前側整流板１９の表面に吸気流２３が形成されることで前側整流板１９の表面が結露しにくくなる。
【００２７】
また、固定フード２および可動フード３の側方位置には可動機構部２４が設けられている。その可動機構部２４(例えばプーリ方式：駆動モータとリミットスイッチとワイヤー)によりレール２５が可動し、可動フード３を固定フード２内に収納または固定フード２内より突き出させる。
【００２８】
可動フード３が固定フード２に対して移動させるためには、本体が運転状態にあるならば、例えば、本体スイッチ２６のＯＮ時（または本体に赤外線を受光する受光部を備えたＩＨクッキングヒーターからの赤外線信号を受ける場合やリモコンからの赤外線信号を受ける場合）により、自動的に（本体外からの信号に連動して）可動フード３を固定フード２に対して収納動作または移動動作させる。
【００２９】
前側整流板１９と後方整流板２０のいずれも、それぞれの上方にあるフードに対して、片側にＬ状フック部２７、その反対側にはバネ式爪部２８が設けられている。他方、可動フード３の下面には、角穴を設けたフック支持金具２９とバネ式爪部支持金具３０が設けられている。後方整流板２０に対しては、固定フード２の側方の箱体３１内に配置されたレールに角穴を設けたフック支持金具２９とバネ式爪部支持金具３０が設けられている。
【００３０】
後方整流板２０の前側のバネ式爪部２８を外してからフック部２７をフック支持金具
２９から取り外すことで、後方整流板２０は固定フード２から取り外すことができ、逆に取り付けることで後方整流板２０が固定フード２に支持される。同様に、前側整流板１９も可動フード３から取り外したり支持させたりすることができる。但し、前側整流板１９と後方整流板２０とは空間を開けてはいるが重なった位置に支持されているので、取り外す際は、後方整流板２０から取り外す必要がある。以上により、各整流板は支持されるフードから着脱自在である。
【００３１】
図５，図６を用いて、レンジフードを洗浄する場合について説明する。本体スイッチ
２６に設けられた「お手入れ」スイッチをＯＮにすると、固定フード２下方に設けた後方整流板２０が、固定フード２に通常支持された位置から、前方（または斜め下方位置）の前側整流板１９の下部位置まで自動で移動する（自動で移動しなくとも、「お手入れ」スイッチをＯＮすることで、自由状態として手動で可動するようにしてもよい。）。
【００３２】
この場合は、固定フード２および可動フード３の側方位置に、可動フード３を可動させる場合と同様の可動機構部２４を設け、かつ、その可動機構部２４により駆動するレール３７を可動フード３の可動機構部２４と同一の箱体３１に設ける。
【００３３】
前述したように、固定フード２の下方で支持された後方整流板２０が、その支持位置から前方（または斜め下方位置）へ移動し、かつ、着脱自在な構造で支持されるようにしたことで、清掃性が向上し、普段のお手入れ時の表面を拭き取りや取り外ししやすくなる。
【００３４】
さらに図７において、本体スイッチ２６に整列している「グリルモード」スイッチを
ＯＮすることで後方整流板２０が前方（または斜め下方位置）へ自動（または手動）移動させる。
【００３５】
ＩＨクッキングヒーターのグリルにて魚などを焼いた場合には、油煙や蒸気はＩＨクッキングヒーターの後方位置にあるグリル排気口３２より排気される。しかし本実施形態により、ユニット部１の下部後方に設けられた吸気開口部７に通じる空間を広げることになり（図６参照）、固定フード２下方の後方整流板２０に衝突し、本体の後方へ逃げることがなくなる。そのため、結露水が料理中の鍋などに滴下してしまい料理などを汚すといったことがなくなる。
【００３６】
また、コアンダ効果などでＩＨクッキングヒーターのグリル排気口３２から排気された油煙や蒸気は、後方壁面３３方向に（斜め方向に）排気流が流れ、特に冬場など後方壁面３３に結露が発生する場合がある。
【００３７】
しかしこの現象に対しても、後方整流板２０を前側整流板１９との重なり量が増加するように、可動フード３の下方である前方向（または斜め下方位置）へ移動させることで、可動フード３下方の吸気流路４の流路抵抗に対して、固定フード２下方の吸気流路４の流路抵抗が低くなり、固定フード２下方から吸気開口部７に向かって吸い込む風量が大きくなる。
【００３８】
そのためＩＨクッキングヒーターのグリル排気口３２からの排気が、ユニット部１内の吸気流路４がある上部方向へ排気されるようになり、後方壁面３３の結露が少なくなり、結露水がキッチン台面に垂れて、結露水を拭き取る清掃手間が掛かるといったことが解消される。
【００３９】
図８において、一般的に料理中の手元を照らすための照明器具３４を本体の後方位置に設けてあるが、可動フード３の下方に備えた前側整流板１９を、可動フード３の前後方向の長さに対して、後方にその半分以下の長さとした短整流板３５を設け、また、可動フード３の前後方向の長さに対して前方に略半分以下の長さを持つガラス３６（単数枚および複数枚）を取り付けることで、前方の長さが略半分以下のガラス３６により、室内の明かりをフード下に取り入れることができ料理中の手元が明るくなる。
【００４０】
さらに、後方位置に設けてある照明器具３４は電球のみならずＬＥＤ（または高輝度
ＬＥＤ）や蛍光灯を用いることで消費電力を下げることができ、ランニングコストを低くおさえることができる。高寿命であるＬＥＤ（または高輝度ＬＥＤ）を用いた場合は、電球や蛍光灯の使用に比べて交換頻度が激減し、使用者の手間を減少させ交換用照明器具のコスト代も低下する。
【００４１】
このように本発明の実施例を用いた説明によれば、固定フードの下方に備えた整流板を、固定フードの下方に備えた位置から前方および下方位置へ移動可能としたことにより、後方の整流板への油煙や水蒸気の結露や付着が減るようになり、清掃性も向上する。かつ、整流板を着脱自在な構造にしたことで、普段のお手入れ時の表面を拭き取りや取り外しがしやすくなる。
【００４２】
さらに、整流板を固定フードの下面部に備えた位置から前方および略斜め下方位置へ可動させることで、ＩＨクッキングヒーターのグリルにて魚などを焼いた場合の油煙や蒸気などを効率よく捕集でき、固定フード下面に備えた整流板や後方壁面に結露が発生しなくなる。
【００４３】
また、一般的に料理中の手元を照らすための照明器具を本体の後方位置に設けてあるが、可動フードの下面部に備えた整流板を可動フード大きさに対し後方に略半分以下の大きさ、また、可動フード大きさに対し前方に略半分以下の大きさにガラスを単数枚および複数枚取り付けできることで、前方のガラスより室内の照明を取り入れることができ、料理中の手元を明るくできる。
【図面の簡単な説明】
【００４４】
【図１】本発明の実施形態のレンジフードにおける縦方向断面図。
【図２】本発明の実施形態のレンジフードにおける下面図。
【図３】本発明の実施形態のレンジフードにおける正面図。
【図４】本発明の一実施例を示すレンジフードの正面一部断面図。
【図５】同実施形態の整流板前方可動状態を示す縦方向断面図。
【図６】同実施形態の整流板前方可動状態を示す下面図。
【図７】同実施形態の整流板前方可動状態におけるグリル排気流を示す縦方向断面図。
【図８】同実施形態のガラス、照明器具を示す縦方向断面図。
【符号の説明】
【００４５】
１…ユニット部、２…固定フード、３…可動フード、４…吸気流路、５…排気流路、６…排気口、７…吸気開口、８…排気送風機、９…スクロール、１０…シロッコファン、
１１…送風機取り付け板、１２…フィルター、１３…Ｌ型状支持部、１４…フィルター支持金具、１５…オイルポケット、１６…ダクト継手、１７…ガラスカバー、１８…照明機構、１９…前側整流板、２０…後方整流板、２１…吸込口、２２…一定間隔吸込口、２３…吸気流、２４…可動機構部、２５…レール、２６…本体スイッチ、２７…Ｌ状フック部、２８…バネ式爪部、２９…フック支持金具、３０…バネ式爪部支持金具、３１…箱体、
３２…グリル排気口、３３…後方壁面方向、３４…照明器具、３５…短整流板、３６…ガラス。
【図１】
2007192484.tif 000003
【図２】
2007192484.tif 000004
【図３】
2007192484.tif 000005
【図４】
2007192484.tif 000006
【図５】
2007192484.tif 000007
【図６】
2007192484.tif 000008
【図７】
2007192484.tif 000009
【図８】
2007192484.tif 000010